(57)【要約】  本発明は、使用者の体表面に接触するように意図されかつ変形可能な材料のブロックの形態である塗布面を画定する塗布部材（５）であって、前記塗布部材の装着脚部を受け入れるためのハウジングを端壁（４３）と共に画定する少なくとも１つの周縁スカート（４２）を備える少なくとも１つの保持および締結システムによって把持部材（４１）に装着される、前記塗布部材を備える、化粧品を塗布するための塗布具（４）であって、保持および締結システムが、前記装着脚部の基部表面からゼロでない距離に位置する装着脚部の一部を圧縮することができる少なくとも１つの相補的締付リングを備え、前記基部表面は、塗布部材が保持および締結システムのハウジング内に配置されたときに、保持および締結システムの端壁に向かう向きに配置され、締付リングが、保持および締結システムの周縁スカートの少なくとも１つの相補的クリップ締結手段（４６）と協働することができる少なくとも１つのクリップ締結手段を有することを特徴とする、塗布具（４）に関する。
2019504743.tif 000002
【特許請求の範囲】
【請求項１】
使用者の体表面に接触するように意図されかつ変形可能な材料のブロックの形態である塗布面（５０）を画定する塗布部材（５）を備える、化粧品を塗布するための塗布具（４）であって、
前記塗布部材（５）は、前記塗布部材の装着脚部（５２）を受け入れるためのハウジングを端壁（４３）と共に画定する少なくとも１つの周縁スカート（４２）を備える少なくとも１つの保持および締結システムによって把持部材（４１）に装着され、
前記保持および締結システムが、前記装着脚部の基部表面からゼロでない距離に位置する前記装着脚部の一部を圧縮することができる少なくとも１つの相補的締付リング（７０）を備え、前記基部表面は、前記塗布部材が前記保持および締結システムの前記ハウジング内に配置されたときに、前記保持および締結システムの前記端壁に向かう向きに配置され、前記相補的締付リングが、前記保持および締結システムの前記周縁スカートの少なくとも１つの相補的クリップ締結手段（４６）と協働することができる少なくとも１つのクリップ締結手段（７１）を有することを特徴とする、塗布具（４）。
【請求項２】
前記保持および締結システムの前記端壁（４３）が、前記塗布部材（５）の前記装着脚部（５２）の前記基部表面内に入ることができる少なくとも１つの歯（４５）を備えることを特徴とする、請求項１に記載の塗布具（４）。
【請求項３】
前記相補的締付リング（７０）が、前記保持および締結システムの前記端壁（４３）に向かう向きに配置されるように意図される端部を有し、
前記端部が、前記塗布部材（５）の前記装着脚部（５２）における少なくとも部分的な周縁相補的スロット（５８）に係合することができる少なくとも部分的な周縁径方向肩部（７２）を有することを特徴とする、請求項１または２に記載の塗布具（４）。
【請求項４】
前記周縁径方向肩部（７２）が、前記保持および締結システムの前記端壁（４３）に向かう向きに配置されるように意図される表面を有し、かつ前記塗布部材（５）における前記周縁相補的スロット（５８）の対応する表面内に入ることができる少なくとも１つの連結歯（７５）を有することを特徴とする、請求項３に記載の塗布具（４）。
【請求項５】
前記塗布部材（５）の前記装着脚部（５２）における前記周縁相補的スロット（５８）が、前記装着脚部の略中腹に位置することを特徴とする、請求項３または４に記載の塗布具（４）。
【請求項６】
前記保持および締結システムの前記端壁（４３）が、前記相補的締付リング（７０）を少なくとも部分的に貫通して前記端壁に対して略直交して延びかつ前記塗布部材（５）の前記装着脚部（５２）における対応する空洞（５９）内に入ることができる少なくとも１つの、特に中央の、スパイク（４４）を有し、
前記スパイクが、好ましくは前記保持および締結要素の前記周縁スカート（４２）から突出することを特徴とする、請求項１〜５のいずれか一項に記載の塗布具（４）。
【請求項７】
前記相補的締付リング（７０）が、前記塗布部材（５）の前記装着脚部（５２）の前記高さの約半分にわたって延びることを特徴とする、請求項１〜６のいずれか一項に記載の塗布具（４）。
【請求項８】
塗布すべき前記化粧品（Ｐ）を収容するように意図されたリザーバ（３）を形成する本体と、請求項１〜７のいずれか一項に記載の塗布具（４）との両方を備える、液状化粧品を包装および塗布するための組立体（１）。
【請求項９】
前記把持部材（４１）が前記リザーバ（３）用の密閉キャップを形成し、
前記塗布具（４）は、前記把持部材が前記リザーバを密閉しかつ前記塗布部材（５）が前記リザーバの内側に配置される収納位置と、前記把持部材が前記リザーバから分離されかつ前記塗布部材が前記リザーバから引き抜かれた塗布位置との間で移動することが可能であることを特徴とする、請求項８に記載の包装および塗布組立体（１）。
【請求項１０】
前記把持部材が、取り外し不可能な方式で前記リザーバに接続され、
前記塗布部材が、前記リザーバの外側に配置され、かつ前記化粧品を収容する前記リザーバの内部空間と流体連通することを特徴とする、請求項８に記載の包装および塗布組立体。
【発明の詳細な説明】
【技術分野】
【０００１】
本発明は、液状化粧品を塗布するための塗布具に関する。
【背景技術】
【０００２】
「化粧品」という表現は、化粧品に関する２００９年１１月３０日の欧州議会および理事会の規則（ＥＣ）第１２２３／２００９号で定義されているあらゆる製品を意味するものと理解される。
【０００３】
塗布具は、より詳細には、皮膚、唇または爪などの、ヒトのケラチン表面への化粧品の塗布のために意図されたものである。化粧品は特に、例えば、リキッドファンデーション、マニキュア液、口紅、クリーム、オイル、ヘアケア製品などの、ケア製品またはメイクアップ製品であってもよい。
【０００４】
概して、塗布具は、把持部材に装着された塗布部材を備え、塗布部材は、使用者の体表面に接触するように意図される塗布面を画定する。
【０００５】
把持部材は、特にリザーバのキャップであってもよく、塗布部材には、外側またはリザーバ自体（例えば、ペン型塗布具）から化粧品が充填され、塗布部材には、内側から化粧品が供給される。
【０００６】
塗布部材は、塗布部材の締結部または脚部を受け入れて保持するためのハウジングを備える保持および締結要素によって把持部材に装着される。
【０００７】
保持要素は、把持部材に取り付けられるか、または把持部材との一体品として作られてもよい。
【０００８】
特に、塗布部材は、発泡体であるか、または変形可能な、特に圧縮可能な、エラストマー製の塗布部材である。
【０００９】
例として、このような塗布具を説明している文献である特許文献１、特許文献２および特許文献３を引用することができる。
【００１０】
文献である特許文献１、特に図２は、塗布膜が装着される把持部を備える塗布具を説明している。この目的を達成するために、把持部は、膜の締結部を受け入れるためのハウジングを画定する装着スカートを有する。膜の締結部は、例えば、装着スカートの内表面もしくは外表面に接着接合もしくは溶着されることにより、固定方式で、または、例えば、摩擦嵌め、スナップ締結もしくは圧力嵌めにより、取り外し可能な方式で、装着スカート上に保持される。
【００１１】
文献である特許文献２は、塗布要素が接着接合、溶着またはスナップ締結される装着スカートによってカバーに締結された塗布要素を説明している。
【００１２】
文献である特許文献３は、把持部材を形成しかつ中間要素を有するリザーバを備える塗布具を説明しており、この中間要素の内側に、塗布部材が収納されて保持される。
【００１３】
この目的を達成するために、中間要素は、側壁と、ハウジングの底部を形成する略平坦な横壁とを有する内部円筒ハウジングを画定する。
【００１４】
中間要素のハウジングは、ハウジングの長手方向軸線に沿って延びる中空シャフトを通る通路を介してリザーバ内と連通する。
【００１５】
塗布部材は、中空シャフトの周囲でハウジングの内側に装着される。塗布部材は、少なくとも一部が弾性的に圧縮可能である、多孔質材料のブロック、典型的には発泡体の形態である。
【００１６】
塗布部材は、特に接着接合またはスナップ締結により、好ましくは取り外し可能な方式で、中間要素のハウジングの内側に締結される。
【００１７】
塗布部材を装着するためのシステムは完全に満足できるものではないということが分かっている。
【００１８】
特に、塗布部材が装着要素に接着接合された場合には、（特に化粧品が揮発性化合物を含むときに）特に化粧品または化粧品の化合物のいくつかに接触して、接着剤が化学変化する傾向があり得ることが分かっている。一定期間後に、塗布部材の保持がもはや最適には確保されなくなる。
【００１９】
更に、化粧品塗布具は、多数の前後左右方向の動きにさらされ、これにより、締結部が磨耗して脆くなる可能性がある。
【００２０】
したがって、概して、上で引用した文献で述べられているように、機械的保持による締結を利用することが好ましい。
【先行技術文献】
【特許文献】
【００２１】
【特許文献１】仏国特許第２９６２８９０号明細書
【特許文献２】仏国特許第２８１４６５１号明細書
【特許文献３】仏国特許第２８３２２９７号明細書
【発明の概要】
【発明が解決しようとする課題】
【００２２】
しかしながら、そのような機械的締結が不十分であることを証明することもでき、かつ加わる力、特に横方向力または引張力に塗布部材が耐えることを可能にする改善された機械的締結ソリューションが必要とされている。
【００２３】
更に、機械的締結方法は、概して比較的複雑であり、組み立てをより容易にするより簡単な締結システムが必要とされている。
【課題を解決するための手段】
【００２４】
本発明は、これらの目的の全てまたはいくつかを達成することを目指し、かつこの目的を達成するために、使用者の体表面に接触するように意図されかつ変形可能な材料のブロックの形態である塗布面を画定する塗布部材であって、塗布部材の装着脚部を受け入れるためのハウジングを端壁と共に画定する少なくとも１つの周縁スカートを備える少なくとも１つの保持および締結システムによって把持部材に装着される、前記塗布部材を備える、化粧品を塗布するための塗布具であって、保持および締結システムが、前記装着脚部の基部表面からゼロでない距離に位置する装着脚部の一部を圧縮することができる少なくとも１つの相補的締付リングを備え、前記基部表面は、塗布部材が保持および締結システムのハウジング内に配置されたときに、保持および締結システムの端壁に向かう向きに配置され、締付リングが、保持および締結システムの周縁スカートの少なくとも１つの相補的クリップ締結手段と協働することができる少なくとも１つのクリップ締結手段を有することを特徴とする、塗布具を提案する。
【００２５】
したがって、クリップ締結によりスカートに装着することができる追加の締付リングを提供することにより、組み立てがかなり容易になり、リングは、リングがスカートにクリップ締結されるまでハウジング内に差し込まれるだけでよい塗布部材を支持する。
【００２６】
塗布部材の同一の、例えば新しい、または異なる塗布部材とのあり得る交換を可能にするために、締付リングを取り外し可能にすることができる。
【００２７】
更に、締付リングは、装着脚部の基部から少し離れた、塗布部材の前記装着脚部の一部のみを圧縮する。
【００２８】
その結果、装着脚部は、断面の減少した、圧縮された部分と、断面のより大きな、圧縮されないまたは弱く圧縮される基部部分とを有する。圧縮されないまたは弱く圧縮される、基部部分は、リングからの塗布部材の横方向の移動の動きを含む、長手方向成分の引き抜き方向の動きに抗し、ひいては、前記塗布部材を締結して保持することに大きく寄与する、より広い断面を有する。
【００２９】
その上、塗布部材の装着脚部の一部の圧縮は、装着脚部とリングとの摩擦を増大させ、この摩擦の増大も全体の保持に寄与する。
【００３０】
第１の変形形態によれば、塗布部材は、発泡体から作製され、好ましくは発泡体のブロックである。
【００３１】
第２の変形形態によれば、塗布部材は、エラストマー材料から作製され、好ましくはエラストマーのブロックである。特に、例えば、シリコーンで作製された塗布部材を使用することもできる。
【００３２】
塗布部材への化粧品の供給および製品の所望の充填に応じて、塗布部材は、必要であれば、多かれ少なかれ開放気孔を有することができる。代替的に、製品が塗布部材内にまたは塗布部材を通って拡散することが求められない場合には、使用する材料は、閉鎖気孔を有するかまたは更には非多孔質とすることができる。
【００３３】
有利な相補的方式で、塗布部材は、少なくとも部分的にフロック加工された、または更には完全にフロック加工された塗布面を有する。
【００３４】
有利には、圧縮レベルは、ハウジング内で圧縮されていないまたは弱く圧縮された状態の塗布部材の断面に対して、少なくとも１０％、好ましくは少なくとも２０％、または更には少なくとも３０％である。塗布部材の良好な毛管作用および塗布での良好な快適さを維持するために、前記塗布部材の脚部を過度に圧縮しないことが適切である。この目的を達成するために、圧縮レベルは、好ましくは４０％未満、または更には３５％未満である。
【００３５】
圧縮レベルは、塗布部材の材料の圧縮性に応じて変更することができる。
【００３６】
具体的には、圧縮レベルは、内部にクリップ締結されるように塗布部材の装着脚部を受け入れるためのハウジング内に差し込まれたときに、前記ハウジングの断面の減少、ひいては、塗布部材の部分的な圧縮をもたらす、締付リングの厚さによって特に決まる。
【００３７】
有利な相補的方式で、保持および締結システムの端壁は、塗布部材の脚部の基部表面内に入ることができる少なくとも１つの歯を備える。歯は、横方向の動き、特に回転による動きを制限することにより塗布部材を締結するのに役立つ。
【００３８】
有利な相補的方式で、締付リングは、保持および締結システムの端壁に向かう向きに配置されるように好ましくは意図される端部を有し、前記端部は、塗布部材の装着脚部における少なくとも部分的な周縁相補的スロットに係合することができる少なくとも部分的な周縁径方向肩部を有する。
【００３９】
塗布部材の装着脚部に作成された対応するスロット内に入ることができるかかる肩部の存在は、塗布部材の保持および締結を更に高めることを可能にする。このことは、スロット内に入る肩部が、塗布部材の長手方向のいかなる動きも防止するストッパとしての機能を果たすことによる。ストッパはまた、横方向の移動の動きも制限する。
【００４０】
好ましくは、周縁径方向肩部は、保持および締結システムの端壁に向かう向きに配置されるように意図される表面を有し、かつ塗布部材における周縁スロットの対応する表面内に入ることができる少なくとも１つの連結歯を有する。
【００４１】
端壁に関して、歯は、塗布部材のハウジング内の塗布部材のいかなる横方向の動きもおよび特にいかなる回転も制限するのに役立つ。端壁上の歯との組み合わせでの、保持が特に有効である。
【００４２】
好ましい実施形態によれば、塗布部材の装着脚部におけるスロットは、前記装着脚部のほぼ中腹に位置する。好ましくは、スロットは、前記装着脚部の基部に対する装着脚部の高さの３０〜６０％の所に位置する。
【００４３】
相補的方式で、保持および締結システムの端壁は、締付リングを少なくとも部分的に貫通して端壁に対して略直交して延びかつ塗布部材の装着脚部における対応する空洞内に入ることができる少なくとも１つの、特に中央の、スパイクを有する。
【００４４】
したがって、特に中央の、スパイクを提供することにより、リングにおける塗布部材の圧縮および締め付けが更に高められる。
【００４５】
好ましくは、スパイクは、締付リングの全長にわたって延び、かつ締付リングを完全に貫通する。
【００４６】
好ましくは、端壁上のスパイクは、保持および締結システムのスカートから突出する。このような特徴は、塗布部材の移動の振幅を制限するのに役立つ。
【００４７】
化粧品が塗布部材の内側から供給されるときに、スパイクが中空であると共に製品を供給するためのカニューレとしての機能を果たし得ることに留意されたい。
【００４８】
有利には、締付リングは、塗布部材の装着脚部の高さの約半分にわたって延びる。好ましくは、締付リングは、装着脚部の高さの少なくとも４０％にわたって延びる。好ましくは、締付リングは、装着脚部の高さの最大で９０％にわたって延びる。
【００４９】
このことは、塗布部材の良好な保持を確保するために、比較的大きな、装着脚部の圧縮されないまたは弱く圧縮された部分を維持しながら、装着脚部の同じく比較的大きな圧縮された部分を有することを可能にする。
【００５０】
本発明はまた、塗布すべき化粧品（Ｐ）を収容するように意図されたリザーバを形成する本体と、本発明による塗布具との両方を備える、液状化粧品を包装および塗布するための組立体に関する。
【００５１】
第１の実施形態によれば、把持部材は前記リザーバ用の密閉キャップを形成し、塗布具は、把持部材がリザーバを密閉しかつ塗布部材が前記リザーバの内側に配置される収納位置と、把持部材がリザーバから分離されかつ塗布部材が前記リザーバから引き抜かれた塗布位置との間で移動することができる。
【００５２】
第２の実施形態によれば、把持部材は、取り外し不可能な方式でリザーバに接続され、塗布部材は、前記リザーバの外側に配置され、かつ化粧品を収容する前記リザーバの内部空間と流体連通する。
【００５３】
本発明は、添付図面を参照して、以下の詳細な説明を読むことでより良く理解されるであろう。
【図面の簡単な説明】
【００５４】
【図１】図１は、本発明による塗布具を備えた包装および塗布組立体の概略縦断面図である。
【図２】図２は、図１の組立体が備える塗布部材の概略縦断面図である。
【図３】図３は、図１の塗布部材を装着して締結するための締付リングの概略縦断面図である。
【図４】図４は、図３のリングの概略上面図である。
【発明を実施するための形態】
【００５５】
組立体１は、塗布すべき化粧品Ｐを収容するリザーバ３を形成する本体２と、把持部材４１に装着された塗布部材５を備える塗布具４とを備える。
【００５６】
本体２は、前記リザーバ３の開口部２２の境界を定める自由上縁部２１を有する。より具体的には、開口部２２は、本体２の首部２４の自由上端部に位置する。
【００５７】
本体２は回転対称性を有する。開口部２２は円形断面を有する。明らかに、他の形状も考えられる。
【００５８】
開口部２２において、本体２は、塗布部材５を受け入れることができるハウジング７を有し、前記ハウジング７は、分割壁８により少なくとも部分的にリザーバ３との境界が定められる。
【００５９】
分割壁８は、リザーバ３と直接流体連通する少なくとも１つの貫通オリフィス９を有する。
【００６０】
分割壁８は、図示のように、リザーバ３に取り付けられるか、またはリザーバの本体との一体品として成形により作製されてもよい。
【００６１】
この場合、分割壁８は、開口部２２を取り囲むリング６０により支持される。
【００６２】
リング６０は、任意の手段により、特にクリップ締結または接着接合により、本体２に装着されてもよい。リング６０は、取り外し可能であってもなくてもよい。
【００６３】
この場合、リング６０は、首部２４に係合することができる。
【００６４】
この目的を達成するために、リング６０は、一緒になって装着スカートを画定する外周壁６１および内周壁６２を備える。
【００６５】
装着スカートはまた、製品に対する耐漏洩性を提供する。
【００６６】
頂部において、塗布具４は、塗布部材５が装着される把持部材４１を備える。
【００６７】
把持部材４１は、蓋を形成し、かつリング６０の上部周壁６３に取り外し可能な方式で係合することができ、これにより、リザーバ３を耐漏洩方式で密閉する。より詳細には、リング６０の周壁６３は、把持部材４１の相補的雌ねじに係合することができる雄ねじを有する。
【００６８】
不使用時に、把持部４１がリング６０にねじ込まれると、塗布部材５がハウジング７内に受け入れられる（図１）。
【００６９】
したがって、塗布具４は、把持部材４１がリザーバ３を密閉しかつ塗布部材５が前記リザーバの内側に配置される収納位置と、把持部材４１がリザーバ３から分離されかつ塗布部材５が前記リザーバ３から引き抜かれた塗布位置との間で移動することができる。
【００７０】
塗布部材５は、それ自体が図２に示されている。
【００７１】
塗布部材５は、特に開放気孔を有する、多孔質材料のブロック、例えば発泡体のブロックである。
【００７２】
特に、塗布部材５は、特にＳ９０タイプ（ＤＩＮ４１０２−９規格）の、ポリウレタン発泡体から作製される。このような材料は、変形可能であり、特に圧縮可能である。
【００７３】
より具体的には、塗布部材５は、使用者の体表面に接触するように意図された塗布面５０を画定するヘッド５１を有し、かつ前記塗布部材５を把持部材４１に装着するように意図された脚部５２により延ばされる。塗布面５０はフロック加工される。
【００７４】
図示の実施形態において、装着脚部５２は、約１１ｍｍの長さを有する。直径は、約１１ｍｍに等しいか、またはそれよりもやや大きい（この場合は１１．３ｍｍ）。
【００７５】
塗布部材５は、長手方向中心軸線に対して軸対称な全体形状を有する。ヘッド５６は、円錐状の全体形状を有する。脚部５２は、略円筒形断面を有する。
【００７６】
ヘッド５１が、脚部５２の断面よりもやや大きな断面を備えた基部を有し、ひいては、以下に説明する、塗布部材の保持および締結システムに塗布部材が載置されることを可能にするように意図された肩部５７を有することに留意されたい。この肩部５７は、特に塗布部材をより良好に保持することを可能にする。
【００７７】
以下に説明する、保持および締結システムのスパイク４４が挿入されるように意図される中央切り欠き５９を塗布部材５が脚部５２に沿って有することにも留意されたい。
【００７８】
装着脚部５２はまた、外周スロット５８を有する。塗布部材５の装着脚部５２におけるスロット５８は、前記装着脚部５２のほぼ中腹に位置する。スロットは、約１ｍｍの厚さを有する。
【００７９】
ここで、把持部への塗布部材５の装着について説明する。
【００８０】
把持部材４１は、塗布部材５の装着脚部５２を受け入れるためのハウジングを端壁４３と共に画定する周縁スカート４２を備える、塗布部材５用の保持および装着システムを備える。
【００８１】
装着脚部５２を受け入れるためのハウジングは、前記装着脚部５２と相補的な形状、この場合は具体的には円筒形状を有する。
【００８２】
装着脚部５２を受け入れるためのハウジングは、装着脚部５２の断面と略同一の内部断面を有する。この場合、円筒スカート４２の内径は、装着脚部５２の外径に略等しい。したがって、更なる応力がない限り、装着脚部５２は、径方向に圧縮されず、ハウジングに簡単に挿入することができる。
【００８３】
保持および締結システムの端壁４３は、端壁４３に対して略直交して延びる少なくとも１つの中央スパイク４４を有する。中央スパイク４４は、塗布部材５における切り欠き５９に係合するように意図される。
【００８４】
スパイク４４は、スパイク４４がスカート４２から突出するのに十分な長さにわたって延びる。
【００８５】
スパイク４４がその長さに沿って略一定の断面を有することに留意されたい。しかしながら、スパイク４４は、塗布部材５における切り欠き５９内への差し込みをより容易にするためにやや円錐台状の自由端部を有する。
【００８６】
端壁４３は、中央スパイク４４から離れた周縁に配置される１組の歯４５を有する。
【００８７】
本出願によれば、保持および締結システムはまた締付リング７０を備え、図３および図４には締付リング７０自体が示されている。
【００８８】
締付リング７０は、略円筒形状を有する。リング７０は、スカート４２の内部に挿し込まれるように意図され、かつこの目的を達成するために、前記スカート４２の内径と略同一の外径を有する。
【００８９】
締付リング７０は、クリップ締結によりスカート４２の内側に保持されるように意図される。この目的を達成するために、前記締付リング７０は、スカート４２の内周リブ４６に係合するように意図されるクリップ締結溝７１を外周に有する。当然ながら、反対の構成も可能である。
【００９０】
上述のように、塗布部材５の圧縮は、締付リング７０の壁の厚さ、すなわち、締付リング７０の内部断面と締付リング７０の外部断面との差によって本質的に決まる。
【００９１】
締付リング７０の内部断面と前記締付リング７０の外部断面との差は、少なくとも２０％、好ましくは少なくとも３０％である。図示の実施形態によれば、その差は約３２％〜３５％である。
【００９２】
締付リング７０は、保持および締結システムの端壁４３に向かう向きに配置されるように意図される端部を有し、前記端部は、塗布部材の装着脚部５２における相補的スロット５８に係合することができる少なくとも部分的な周縁径方向内側肩部７２を有する。
【００９３】
肩部７２は、締付リング７０の外側に向かう、より具体的には、保持および締結システムの端壁４３に向かう向きに配置されるように意図される表面を有する。肩部７２のこの表面は、塗布部材５の周縁スロットの対応する表面内に入ることができる、端壁４３上の歯４５と同様の、１組の連結歯７５を有する。
【００９４】
歯４５と同じように、歯７５は、肩部７２の周縁に配置される。歯７５は、締付リング７０が嵌め合わされたときに歯７５が端壁４３上の歯４５に対向して位置するように配置される。
【００９５】
肩部７２とは反対側において、締付リング７０は、開放した第２の端部を有する。この場合、締付リング７０のこの端部は、塗布部材５の塗布ヘッド５１の下の肩部５７に接触するように意図される。
【００９６】
塗布部材５は、以下の方式で把持部材に嵌着される。
【００９７】
まず、塗布部材５が締付リング７０に結合される。
【００９８】
この目的を達成するために、前記塗布部材５の装着脚部５２は、圧縮されて、肩部７２とは反対側の開放端部を介して締付リング７０に挿通される。
【００９９】
装着脚部５２は、肩部７２が塗布部材５における対応するスロット５８内に入るまで締付リング７０に引き通される。
【０１００】
次いで、肩部上の歯７５が前記スロット５８の内側表面内に入る。
【０１０１】
したがって、締付リング７０は、塗布部材のスロット５８と肩部５７との間に延び、かつ装着脚部５２の対応する部分を圧縮する。
【０１０２】
スロット５８と前記装着脚部５２の自由端部との間に位置する、装着脚部５２の基部は、締付リングから突出し、かつ締付リングにより圧縮されない。
【０１０３】
そして、塗布部材５と締付リング７０との組立体は、スカート４２と端壁４３とにより画定された把持部４３のハウジングに簡単に挿入される。
【０１０４】
より具体的には、塗布部材は、装着脚部５２の基端部が端壁４３に接触するまで挿入される。次いで、歯４５が装着脚部５２の基部表面内に入る。
【０１０５】
締付リング７０は、締付リング７０がスカート４２にクリップ締結されるまで締付リング７０の一部が挿入される。
【０１０６】
挿入時に、中央スパイク４４は、塗布部材における対応する切り欠き５９内に入り、組立体の保持に寄与する。
【０１０７】
したがって、締付リング７０が塗布部材５に嵌着されている間に、塗布部材５は、圧縮された中間部分と、塗布部材５を長手方向に保持するのに役立つ圧縮されないまたは弱く圧縮された基部部分とを有する。
【０１０８】
塗布部材５と締付リング７０とにより形成された組立体が嵌め合わされている間に、切り欠き５９への中央スパイク４４の挿入により、締付リングにおける塗布部材の圧縮も高められる。
【０１０９】
中央スパイク４４はまた、組立体の良好な保持に、特に移動の動きを制限するのに寄与する。
【０１１０】
塗布部材５の基部部分は、端壁４３上のスパイク４５と締付リング７０の肩部７２により支持されたスパイク７５との間に保持され、塗布部材５が回転するのを防止する。
【０１１１】
したがって、把持部材４に対する塗布部材５の保持は、組み立ての点で比較的簡単なままでありながら最適である。
【０１１２】
第２の実施形態（図示せず）によれば、把持部材は、取り外し不可能な方式でリザーバに接続され、塗布部材は、前記リザーバの外側に配置され、かつ化粧品を収容する前記リザーバの内部空間と流体連通する。そのような包装および分配組立体は、特に上に引用した文献に示されている。化粧品は、有利には、分配カニューレを形成する中空の中央スパイク４４を通して供給することができる。
【図１】
2019504743.tif 000003
【図２】
2019504743.tif 000004
【図３】
2019504743.tif 000005
【図４】
2019504743.tif 000006
【国際調査報告】
2019504743.tif 000007
2019504743.tif 000008